(57)【要約】      （修正有）【課題】本考案は健康の為に行う運動エネルギーを電気エネルギーに再生利用する為のものである。【解決手段】支点が回転機の外の下に有る回転装置にて、人の体重によって強いトルクを発生させ回転させる事によりスムーズに運動エネルギーを電気エネルギーに変換し再生利用できる。【選択図】図１
0003131299.tif 000002
【実用新案登録請求の範囲】
【請求項１】
円形の回転機で支点が中心以外の下部の適儀な位置に有し人力が回転機の等分した適儀な位置に取付けて有る足踏板に乗る事により人の体重により回転せしめ大きなトルクを得られる装置。
【請求項２】
上記の回転機の回転力を連結装置の作動によりテコの動作に変換しフライホイルを連動せしめ連結している発電機を円滑に回転させる事により電気エネルギ−に変換させる事を特徴とする人力式発電装置型健康器。 
【考案の詳細な説明】
【技術分野】
【０００１】
本考案は家庭での健康向上の為に行なう運動に伴い生ずる運動エネルギーを効率良く電気エネルギーに変換し生活に再生利用する健康器に関するものである。
【背景技術】
【０００２】
今までの健康器具は有ったがその運動エネルギーを生活に再生しないで単に健康のみの為に行いエネルギーは生かされてなかった。
【考案の開示】
【考案が解決しようとする課題】
【０００３】
１．今までの回転装置は支点が中央に有り一旦回転すればスムーズに回転はするが回転中、特にスタート時に強いトルクを発生するには不向きな点が有った。２−（１）故に回転機下部（中央より離れた）の適儀な位置に回転ローラー軸（支点に相当）を設定取付けた方が強いトルクを発生できる。２−（２）なおこの時回転機の回転を発電機まで伝達させるテコを有し、テコのメカニズムでテコLｍを長くするやり方で強いトルクを発生させる方法も有るが長くすると装置自体が大型となり家庭内では不向きな欠点を生ずる。３−（１）健康の為に行う運動を回転機にて階段足踏み動作で行うもので有るが、この運動エネルギーを回収する為に発電機を連結−連動させるもので有りこの時、発電機は強い起動トルクを要する。この為に回転機の中心軸（支点に相当）を足踏み位置よりもっと離れた位置に設定した方がテコの原理の長さLｍが長くなり踏んだ時のトルクT＝Wkg×Lmは大きくなる。３−（２）なおこの回転機に連結しているテコは長くするよりもテコの数を増やしテコ間を連結−連動させた方が短くなり、小型化でき家庭内での使用が容易になる。
【課題を解決するための手段】
【０００４】
１．本考案は円型の回転機で支点が中心以外の適儀な位置に有り、人が回転機内の等分した適儀な位置に取付けて有る足踏板に乗る事により人の体重により回転せしめ大きなトルクを得られる事により問題を解決している。２．上記の回転機の回転力を「連結装置」の作動により、テコの動作に変換しフライホイルを連動せしめ連結している発電機を円滑に回転させる事により電気エネルギーに変換させる人力式発電装置型健康器なお「連結装置」の押え圧力（人の体重）により上記回転機を支持させる事ができる。
【考案の効果】
【０００５】
１．健康の為に生ずる運動エネルギーを生活の為に使用する電気エネルギーとして再生利用できる。２．支点が回転機の外に有る回転装置により従来の回転機（支点は中心）より強いトルクが出て発電機の起動−回転が容易に出来る。すなわち同じトルクを出す条件のもとでは従来の回転機より径が小となり小型化できる。３．一般の人が家庭内で階段の昇り降り動作による足腰の鍛錬と竹踏みによる健康向上、老化防止を図る事ができる。
【考案を実施するための最良の形態】
【０００６】
１．図１は、本考案「人力式発電装置型健康器」の作動説明を示す概略図で羽根車Oの側面の一部を切欠いている。図２は本考案の平面構造図。図３は連結アームの詳細平面構造図。図４は、連結アームの下死点における側面から見た作動図。図５は連結アームの中間点における側面から見た作動図。図6は連結アームの中間から上昇中の側面から見た作動図。図7は連結アームの上死点における側面から見た作動図。図８は羽根車Oに支点ローラーAと受けローラーBとをフレーム14と14’に一体化した側面図で図9はその平面構造図、以下添付図面に従って実施例を説明する。先ず図１、図２、図３、図４、図5、図6、図7、図8、図9において構造の説明をします。Oは本考案の羽根車、O’は人で実際より小さく書いている（図面をA４に入れるため）。O−１、O−４、O−３は足踏み台で１BはOの回転力をレバー１に伝達する為の連結アーム。２，３，４は回転力を伝達する為のレバー。1Aはレバー１とレバー２の支点部、A０はその支点軸。6Aは連結棒、６は扇形の歯車、6Bはその支点軸。７は一方向のみ回転するワンウェイ構造の小歯車、8はその中心軸でレバー４の動作力を伝達してゆくもの。4Bはレバー４の支点、５は、その支点軸で5Aはベアリングであり以上の装置を支持するフレームは13（右側）、13’（左側）となる。Aは羽根車Oを支持する受け支点ローラー。BはOの倒れ防止用受けローラー。16はBの支持台、以上のOとA、Bを支持するフレームは１４（右側）、１４’（左側）となる。９は８の回転をなめらかにするフライホイル。10はプーリー、12は小プーリー、11はベルト。13は発電機、12Aは遠心クラッチである。次に動作の説明は人O’が羽根車Oの足踏み台O−１の上に右足で乗る、すると羽根車Oの受け支点となるローラーAを支点としてａ１方向にＯは回転する。この時反対側足踏台Ｏ−４の裏面が凹部となっていてこれにレバー１の先端に取付けられている連結アーム１B（先端にはローラー1Cが付いている）が、この凹部に喰い込んでいて（下死点の位置、図４参照）ａ１方向へ持ち上がってゆく同時にレバー１は支点１Aを中心にAOを軸としａ２方向へ上昇してゆく。この時レバー１の長さは一定でＯ−4は円運動であり、レバー１にO−4は先ず近づく方向に動いてゆく。この時O−４の凹部のくぼみは深くて１Bの先端ローラー1Cが喰い込んだまま軸1dを中心に１Bは回転、動いてゆく（図１、図４、図５、図６、図７参照）O−４が中間点に達すると図５に表わすように１Bが動きレバー１はO−４の動きと連動しａ１方向に上昇してゆく。ローラー１Cが軸１dを中心に動きO−４の凹部に喰い込んで連動してゆく（図６参照）この時レバー１とレバー２は同軸上に接合してある従ってレバー２も同時に上昇する。次にレバー２（レバー２の先端には長穴２Aが加工して有る）とレバー３（レバー３の先端にはローラー３Aが取付けられている）とはローラー３Aを介して連結してありレバー２がａ２方向に上昇するとこの時、レバー２の長穴２A内に入っているローラー３Aは（←−−）方向に移動しながらレバー３は支点３Bを中心としてａ３方向へ上昇（回転）する。従ってテコの原理によりレバー３の支点の反対側は逆にａ３’方向に下降する。このレバー３の片端には３C（レバー４との連結ピン）を介してレバー４が連結されておりレバー３が���降すると同時にレバー４は支点４B（４Bには支点軸５を軸とするボールベアリング５Aがはまっている）を中心にａ４方向へ下降する。更に支点４B側に有る連結棒６Aを介して扇形の歯車６（支点は６B）が連結されている、従ってレバー４がａ４方向へ下降すると同時に連結棒６Aもａ４方向へ下降し同時に扇形の歯車６は支点軸６Bを中心にａ４方向に回転動作されて更に６には小歯車７（一方向構造になっている）が噛み合っておりａ７方向へ回転すると小歯車７には図２に示すようにシャフト８が連結されていてその一端にはフライホイル９が取付けられ（回転エネルギー蓄積の為）もう一端にはプーリー10が取付けられていて増速回転する。次に発電機13に取付けられている小プーリー12とプーリー10間にはベルト11が付けられておりプーリー10の回転動作力はベルト11を介して伝達され、発電機13を高速回転させる（この場合12と発電機13間には遠心クラッチ12Aが設けられている）以上の動作メカ構造を図２で表わしている。
【０００７】
次に人O’が左足で羽根車Oの左側に位置する足踏み台O−１’の上に乗る、するとこの時前期０００６にて述べたように全く同様な動作メカにて同様な動作を図２にて表わす動作メカにて行い発電機13を高速回転させ発電させる。作動動作内容は前述の図１と同様です。但し羽根車Oの右側と左側の足踏み台O−１とO−１’の位置は位置をずらして取付けられている。
【０００８】
次に図１に戻ってOがａ１方向へ回転してゆくと図４に示すように連結アーム１Bは軸１ｄを中心にｂ１方向へ回転してゆく（この時レバー１もａ２方向へ上昇してゆく）上死点に達すると、ローラー１ＣはO−４の凹部から外れ落下（この時レバー１も同時に落下）し次に上昇して来たO−３の凹部、内にローラー１Cは入り込む事になる。以上の動作を人O’が右足−左足で交互に踏む事により同様に繰り返す事になる。この時、小歯車７はワンウェイ構造（一方向送り動作式）になっておりａ７方向のみ回転する為に８から発電機13まで一方向に回転し続け発電する事になる。
【０００９】
なお羽根車OはローラーAに支えられた状態で回転続ける事になるが回転中に人の重力が加わるので倒れる恐れも有る、この為に羽根車Oの内側には受けローラーB（ローラー下にはスプリングB３有り）を取付けてありOが傾き（倒れ）時は受けローラーBに当たり倒れ防止を図る。
【００１０】
次に連動アーム１Bを図３、図４、図５、図６、図７にて説明します。図３は上面図でレバー１の先端の中央は図示の様に中空となっていて、その中に連動アーム１Bが軸１ｄにて取付けられている。（０００６）で述べたようにOが上昇と共にローラー１Cがb１方向に上昇し反対側はb１’方向に下降してゆき（図５参照）１Bが中空の端１Fに当たるとストップになるが同時に１Cは上死点（図７参照）に達しO−４から外れb１方向と反対方向へ下がるが反対側にはバネ１eが取付けられていて適儀な位置（次のO−３の凹部位置と一致する位置）で１Cはストップし次のO−３の凹部にローラー１Cは噛み込む事になる。
【００１１】
次に支点ローラーAと受けローラーBを図８、図９にて説明します。図８は羽根車Oと支点ローラーAと受けローラーBとをフレーム14と14’に取付け一体化した側面図で図9はその上面図を表わす支点ローラーAはフレーム14と14’間の軸15にベアリングA−１付きで取付けられフリーで回転できる。受けローラーBは14に取付けられている専用台16の上に取付けられている。常時羽根車OとBの先端ローラーB１間は微小な隙間が有る。羽根車Oが回転中に傾いた時、OはローラーB１に当たり、自重がかかるB１と一体化になっている軸B４はローラーB１と共に下げられこの時B内部にセットされているスプリングB３で自重を受け止められてその止められた位置で羽根車Oは倒れる事無く回転する事になる。
【図面の簡単な説明】
【００１２】
【図１】本考案「人力式発電装置型健康器」の動作説明を示す概略図でOの側面一部切欠いている。
【図２】本考案の平面構造図。
【図３】連結アームの詳細平面構造図。
【図４】連結アームの詳細側面構造図で下死点から上昇中の作動を表わす。
【図５】連結アームの中間点における側面から見た側面図。
【図６】連結アームの中間点から上昇中の側面から見た側面図。
【図７】連結アームの上死点における側面から見た側面図。
【図８】羽根車Oに支点ローラーAと受けローラーBとをフレーム14と14’に一体化した側面図。
【図９】羽根車Oに支点ローラーAと倒れ防止受けローラーBとをフレーム14と14’に一体化した平面図。
【符号の説明】
【００１３】
O’・・・人O・・・羽根車A・・・受け支点ローラーB・・・倒れ防止用受けローラーO−１、O−4、O−3・・・足踏み台１B・・・連結アーム１，２，３，４、・・・レバー（右側）１’，２’，３’，４’、・・・レバー（左側）A０・・・レバー１、１’，２、２’の支点軸１A・・・レバー
１と２の支点部１A’・・・レバー１’と２’の支点部４B・・・レバー４の支点（右側）４B’・・・レバー４’の支点（左側）５・・・レバー４、４’の支点軸２A・・・レバー２内の長穴３A、３A’・・・レバー３及びレバー３’の先端に付けられているローラー３B、３B’・・・レバー３及びレバー３’の支点３C、３C’・・・レバー３とレバー４間の連結ピン、及びレバー３’とレバー４’間の連結ピン６，６’・・・扇形の歯車６B・・・６，６’の支点軸６A、６A’・・・連結棒７，７’・・・一方向構造の小歯車８・・・小歯車７，７’用シャフト13、13’・・・レバー装置全体のフレーム14、14’・・・羽根車O用フレーム 
【図１】
0003131299.tif 000003
【図２】
0003131299.tif 000004
【図３】
0003131299.tif 000005
【図４】
0003131299.tif 000006
【図５】
0003131299.tif 000007
【図６】
0003131299.tif 000008
【図７】
0003131299.tif 000009
【図８】
0003131299.tif 000010
【図９】
0003131299.tif 000011
【手続補正書】
【提出日】平成18年7月10日(2006.7.10)
【手続補正１】
【補正対象書類名】実用新案登録請求の範囲
【補正対象項目名】全文
【補正方法】変更
【補正の内容】
【実用新案登録請求の範囲】
【請求項１】
円形の回転機Ｏの下部の適宜な位置に回転機Ｏの支点に相当する回転ローラＡを設置し、ローラＡはフレーム１４、１４’に取付け支持固定されておりＯの内部には複数の足踏み台（Ｏ−１，Ｏ−２，Ｏ−３，Ｏ−４）が等分した位置に適宜な数、取付けられており足踏み台の表面は∩部となっていて人Ｏ’の足で踏む事ができ、裏面は連結アーム１Ｂのローラ部１Ｃが噛み込む事ができる形状となっている。
人Ｏ’が足踏み台に乗る事により人の体重と回転ローラＡの支持と、連結アーム１Ｂのローラ部１Ｃの噛み込み圧力とで、回転機Ｏを支持固定ができており、回転機Ｏの内側には倒れ防止用受けローラＢを設置している。
連結アーム１Ｂはレバー１と軸１ｄを介して自在に回転し動くように連結されており、人Ｏ’が足でＯ−１の∩部を踏む事によりＯはａ１方向に回転し足踏み台Ｏ−３の裏面に噛み込んだ連結アーム１Ｂ−（１）もａ１方向に上昇し同時にレバー１も上昇して、レバー１の支点１Ａも回転し支点１Ａと同軸上に接合してあるレバー２も同時に上昇する。
レバー２（レバー２の先端は長穴２Ａが加工して有る）とレバー３（レバー３の先端にローラ３Ａが取付けられている）とはローラ３Ａを介して連結してありレバー２がａ２方向に上昇するとレバー２の中に入っているローラ３Ａは（←−−）方向へ移動しながらレバー３は支点３Ｂ（支点３Ｂはフレーム１４に支持固定されている）を中心としてａ３方向へ上昇、回転され反対側はａ３’方向へ下降する。
レバー３の片端には連結ピン３Ｃを介してレバー４（レバー４の支点軸５はフレーム１３、１３’で支持固定されている）が連結されておりレバー３が下降すると同時にレバー４は、ａ４方向へ下降される。
レバー４の支点側に有る連結棒６Ａを介して扇形の歯車６（支点軸６Ｂは、フレーム１３に支持固定されている）が連結されておりレバー４が下降すると歯車６も下降し、６には一方向送り動作式の小歯車７（シャフト８はフレーム１３、１３’で支持固定されている）が噛み合っており小歯車７へ回転トルクを伝達せしめる。
人Ｏ’が交互に足で足踏み台を踏み続けると連結アーム１Ｂは下死点（図４）より中間点（図５，６）より上死点（図７）まで上昇し、上死点にて、ローラ１Ｃは足踏み台Ｏ−４の∪部から外れて落下し次の足踏み台Ｏ−３の∪部に落ちて、噛み込み上昇し同様の動作をくり返して回転機Ｏは回転し大きなトルクを発生、伝達できるところを特徴とする「支点が外に有る回転装置」。
【手続補正２】
【補正対象書類名】明細書
【補正対象項目名】全文
【補正方法】変更
【補正の内容】
【考案の詳細な説明】
【技術分野】
【０００１】  本考案は家庭での健康向上の為に行なう運動に伴い生ずる運動エネルギーを効率良く電気エネルギーに変換し生活に再生利用する健康器に関するものである。
【背景技術】
【０００２】  今までの健康器具は有ったがその運動エネルギーを生活に再生しないで単に健康のみの為に行いエネルギーは生かされてなかった。
【考案が解決しようとする課題】
【０００３】１．今までの回転装置は支点が中央に有り一旦回転すればスムーズに回転はするが回転中、特にスタート時に強いトルクを発生するには不向きな点が有った。
２−（１）故に回転機下部（中央より離れた）の適宜な位置に回転ローラー軸（支点に相当）を設定取付けた方が強いトルクを発生できる。
２−（２）なおこの時回転機の回転を発電機まで伝達させるテコを有し、テコのメカニズムでテコＬｍを長くするやり方で強いトルクを発生させる方法も有るが長くすると装置自体が大型となり家庭内では不向きな欠点を生ずる。
３−（１）健康の為に行う運動を回転機にて階段足踏み動作で行うもので有るが、この運動エネルギーを回収する為に発電機を連結−連動させるもので有りこの時、フライホイル付き発電機は強い起動トルクを要する。
この為に回転機の中心軸（支点に相当）を足踏み位置よりもっと離れた位置に設定した方がテコの原理の長さＬｍが長くなり踏んだ時のトルクＴ＝Ｗｋｇ×Ｌｍは大きくなる。
３−（２）なおこの回転機に連結しているテコは長くするよりもテコの数を増やしテコ間を連結−連動させた方が短くなり、小型化でき家庭内での使用が容易になる。
【課題を解決する為の手段】
【０００４】１．本考案は円型の回転機で支点が中心以外の適宜な位置に有り、人が回転機内の等分した適宜な位置に取付けて有る足踏板に乗る事により人の体重により回転せしめ大きなトルクを得られる事により問題を解決している。
２．上記の回転機の回転力を「連結装置」の作動により、テコの動作に変換しフライホイルを連動せしめ連結している発電機を円滑に回転させる事により電気エネルギーに変換させる支点が外に有る回転装置なお「連結装置の押え圧力（人の体重）により上記回転機を支持させる事ができる。
【考案の効果】
【０００５】１．健康の為に生ずる運動エネルギーを生活の為に使用する電気エネルギーとして再生利用できる。
２．支点が回転機の外に有る回転装置により従来の回転機（支点は中心）より強いトルクが出て発電機の起動−回転が容易に出来る。
すなわち同じトルクを出す条件のもとでは従来の回転機より径が小となり小型化できる。
３．一般の人が家庭内で階段の昇り降り動作による足腰の鍛錬と竹踏みによる健康向上、老化防止を図る事ができる。
【本考案を実施するための最良の形態】
【０００６】１．図１は、本考案の支点が外に有る回転装置の作動説明を示す概略図で羽根車Ｏの側面の一部を切欠いている。
図２は本考案の平面構造図。
図３は連結アームの詳細平面構造図。
図４は、連結アームの下死点における側面から見た作動図。
図５は連結アームの中間点における側面から見た作動図。
図６は連結アームの中間から上昇中の側面から見た作動図。
図７は連結アームの上死点における側面から見た作動図。
図８は羽根車Ｏに支点ローラーＡと受けローラーＢとをフレーム１４と１４’に一体化した側面図で図９はその平面構造図、以下添付図面に従って実施例を説明する。
先ず図１、図２、図３、図４、図５、図６、図７、図８、図９において構造の説明をします。
Ｏは本考案の羽根車、Ｏ’は人で実際より小さく書いている（図面をＡ４に入れるため）。Ｏ−１、Ｏ−４、Ｏ−３は足踏み台で１ＢはＯの回転力をレバー１に伝達する為の連結アーム。
２，３，４は回転力を伝達する為のレバー。
１Ａはレバー１とレバー２の支点部、Ａ０はその支点軸。
６Ａは連結棒、６は扇形の歯車、６Ｂはその支点軸。
７は一方向のみ回転するワンウェイ構造の小歯車、８はその中心軸でレバー４の動作力を伝達してゆくもの。
４Ｂはレバー４の支点、５は、その支点軸で５Ａはベアリングであり以上の装置を支持するフレームは１３（右側）、１３’（左側）となる。
Ａは羽根車Ｏを支持する受け支点ローラー。
ＢはＯの倒れ防止用受けローラー。
１６はＢの支持台、以上のＯとＡ、Ｂを支持するフレームは１４（右側）、１４’（左側）となる。
９は８の回転をなめらかにするフライホイル。
１０はプーリー、１２は小プーリー、１１はベルト。
１３は発電機、１２Ａは遠心クラッチである。
次に動作の説明は人Ｏ’が羽根車Ｏの足踏み台Ｏ−１の上に右足で乗る、すると羽根車Ｏの受け支点となるローラーＡを支点としてａ１方向にＯは回転する。
この時反対側足踏台Ｏ−４の裏面が凹部となっていてこれにレバー１の先端に取付けられている連結アーム１Ｂ（先端にはローラー１Ｃが付いている）が、この凹部に喰い込んでいて（下死点の位置、図４参照）ａ１方向へ持ち上がってゆく同時にレバー１は支点１Ａを中心にＡＯを軸としａ２方向へ上昇してゆく。
この時レバー１の長さは一定でＯ−４は円運動であり、レバー１にＯ−４は先ず近づく方向に動いてゆく。
この時Ｏ−４の凹部のくぼみは深くて１Ｂの先端ローラー１Ｃが喰い込んだまま軸１ｄを中心に１Ｂは回転、動いてゆく（図１、図４、図５、図６、図７参照）Ｏ−４が中間点に達すると図５に表わすように１Ｂが動きレバー１はＯ−４の動きと連動しａ１方向に上昇してゆく。
ローラー１Ｃが軸１ｄを中心に動きＯ−４の凹部に喰い込んで連動してゆく（図６参照）この時レバー１とレバー２は同軸上に接合してある従ってレバー２も同時に上昇する。
次にレバー２（レバー２の先端には長穴２Ａが加工して有る）とレバー３（レバー３の先端にはローラー３Ａが取付けられている）とはローラー３Ａを介して連結してありレバー２がａ２方向に上昇するとこの時、レバー２の長穴２Ａ内に入っているローラー３Ａは（←−−）方向に移動しながらレバー３は支点３Ｂを中心としてａ３方向へ上昇（回転）する。
従ってテコの原理によりレバー３の支点の反対側は逆にａ３’方向に下降する。
このレバー３の片端には３Ｃ（レバー４との連結ピン）を介してレバー４が連結されておりレバー３が下降すると同時にレバー４は支点４Ｂ（４Ｂには支点軸５を軸とするボールベアリング５Ａがはまっている）を中心にａ４方向へ下降する。
更に支点４Ｂ側に有る連結棒６Ａを介して扇形の歯車６（支点は６Ｂ）が連結されている、従ってレバー４がａ４方向へ下降すると同時に連結棒６Ａもａ４方向へ下降し同時に扇形の歯車６は支点軸６Ｂを中心にａ４方向に回転動作されて更に６には小歯車７（一方向構造になっている）が噛み合っておりａ７方向へ回転すると小歯車７には図２に示すようにシャフト８が連結されていてその一端にはフライホイル９が取付けられ（回転エネルギー蓄積の為）もう一端にはプーリー１０が取付けられていて増速回転する。
次に発電機１３に取付けられている小プーリー１２とプーリー１０間にはベルト１１が付けられておりプーリー１０の回転動作力はベルト１１を介して伝達され、発電機１３を高速回転させる（この場合１２と発電機１３間には遠心クラッチ１２Ａが設けられている）以上の動作メカ構造を図２で表わしている。
【０００７】  次に人Ｏ’が左足で羽根車Ｏの左側に位置する足踏み台Ｏ−１’の上に乗る、するとこの時前期０００６にて述べたように全く同様な動作メカにて同様な動作を図２にて表わす動作メカにて行い発電機１３を高速回転させ発電させる。
作動動作内容は前述の図１と同様です。
但し羽根車Ｏの右側と左側の足踏み台Ｏ−１とＯ−１’の位置は位置をずらして取付けられている。
【０００８】  次に図１に戻ってＯがａ１方向へ回転してゆくと図４に示すように連結アーム１Ｂは軸１ｄを中心にｂ１方向へ回転してゆく（この時レバー１もａ２方向へ上昇してゆく）上死点に達すると、ローラー１ＣはＯ−４の凹部から外れ落下（この時レバー１も同時に落下）し次に上昇して来たＯ−３の凹部、内にローラー１Ｃは入り込む事になる。以上の動作を人０’が右足−左足で交互に踏む事により同様に繰り返す事になる。
この時、小歯車７はワンウェイ構造（一方向送り動作式）になっておりａ７方向のみ回転する為に８から発電機１３まで一方向に回転し続け発電する事になる。
【０００９】  なお羽根車ＯはローラーＡに支えられた状態で回転続ける事になるが回転中に人の重力が加わるので倒れる恐れも有る、この為に羽根車Ｏの内側には受けローラーＢ（ローラー下にはスプリングＢ３有り）を取付けてありＯが傾き（倒れ）時は受けローラーＢに当たり倒れ防止を図る。
【００１０】  次に連動アーム１Ｂを図３、図４、図５、図６、図７にて説明します。
図３は平面図でレバー１の先端の中央は図示の様に中空となっていて、その中に連動アーム１Ｂが軸１ｄにて取付けられている。
（０００６）で述べたようにＯが上昇と共にローラー１Ｃがｂ１方向に上昇し反対側はｂ１’方向に下降してゆき（図５参照）１Ｂが中空の端１Ｆに当たるとストップになるが同時に１Ｃは上死点（図７参照）に達しＯ−４から外れｂ１方向と反対方向へ下がるが反対側にはバネ１ｅが取付けられていて適宜な位置（次のＯ−３の凹部位置と一致する位置）で１Ｃはストップし次のＯ−３の凹部にローラー１Ｃは噛み込む事になる。
【００１１】  次に支点ローラーＡと受けローラーＢを図８、図９にて説明します。
図８は羽根車Ｏと支点ローラーＡと受けローラーＢとをフレーム１４と１４’に取付け一体化した側面図で図９はその上面図を表わす支点ローラーＡはフレーム１４と１４’間の軸１５にベアリングＡ−１付きで取付けられフリーで回転できる。
受けローラーＢは１４に取付けられている専用台１６の上に取付けられている。
常時羽根車ＯとＢの先端ローラーＢ１間は微小な隙間が有る。
羽根車Ｏが回転中に傾いた時、ＯはローラーＢ１に当たり、自重がかかるＢ１と一体化になっている軸Ｂ４はローラーＢ１と共に下げられこの時Ｂ内部にセットされているスプリングＢ３で自重を受け止められてその止められた位置で羽根車Ｏは倒れる事無く回転する事になる。
【図面の簡単な説明】
【００１２】
【図１】本考案の支点が外に有る回転装置の動作説明を示す概略図でＯの側面一部切欠いている。
【図２】本考案の平面構造図。
【図３】連結アームの詳細平面構造図。
【図４】連結アームの詳細側面構造図で下死点から上昇中の作動を表わす。
【図５】連結アームの中間点における側面から見た側面図。
【図６】連結アームの中間点から上昇中の側面から見た側面図。
【図７】連結アームの上死点における側面から見た側面図。
【図８】羽根車Ｏに支点ローラーＡと受けローラーＢとをフレーム１４と１４’に一体化した側面図。
【図９】羽根車Ｏに支点ローラーＡと倒れ防止受けローラーＢとをフレーム１４と１４’に一体化した平面図。
【符号の説明】
【００１３】人Ｏ’
羽根車Ｏ
受け支点ローラーＡ
倒れ防止用受けローラーＢ
足踏み台Ｏ−１、Ｏ−４、Ｏ−３
連結アーム１Ｂ
レバー（右側）１，２，３，４、
レバー（左側）１’，２’，３’，４’、
レバー１、１’，２、２’の支点軸Ａ０
レバー１と２の支点部１Ａ
レバー１’と２’の支点部１Ａ’
レバー４の支点（右側）４Ｂ
レバー４’の支点（左側）４Ｂ’
レバー４、４’の支点軸５
レバー２内の長穴２Ａ
レバー３及びレバー３’の先端に付けられているローラー３Ａ、３Ａ’
レバー３及びレバー３’の支点３Ｂ、３Ｂ’
レバー３とレバー４間の連結ピン、及びレバー３’とレバー４’間の連結ピン３Ｃ及び３Ｃ’
扇形の歯車６，６’
６，６’の支点軸６Ｂ
連結棒６Ａ、６Ａ’
一方向構造の小歯車７，７’
小歯車７，７’用シャフト８
レバー装置全体のフレーム１３、１３’
羽根車Ｏ用フレーム１４、１４’
【手続補正書】
【提出日】平成18年10月2日(2006.10.2)
【手続補正１】
【補正対象書類名】実用新案登録請求の範囲
【補正対象項目名】全文
【補正方法】変更
【補正の内容】
【実用新案登録請求の範囲】
円形の回転機Ｏの下部の適宜な位置に回転機Ｏの支点に相当する回転ローラＡを設置し、ローラＡはフレーム１４、１４’に取付け支持固定されておりＯの内部には複数の足踏み台（Ｏ−１，Ｏ−２，Ｏ−３，Ｏ−４）が等分した位置に適宜な数、取付けられており足踏み台の表面は突部となっていて人Ｏ’の足で踏む事ができ、裏面は連結アーム１Ｂのローラ部１Ｃが噛み込む事ができる形状となっている、人Ｏ’が足踏み台に乗る事により人の体重と回転ローラＡの支持と、連結アーム１Ｂのローラ部１Ｃの噛み込み圧力とで、回転機Ｏを支持固定ができており、回転機Ｏの内側には倒れ防止用受けローラＢを設置している、連結アーム１Ｂはレバー１と軸１ｄを介して自在に回転し動くように連結されており、人Ｏ’が足でＯ−１の突部を踏む事によりＯは下方向に回転し足踏み台Ｏ−３の裏面に噛み込んだ連結アーム１Ｂ−（１）も回転上昇し同時にレバー１も上昇して、レバー１の支点１Ａも回転し支点１Ａと同軸上に接合してあるレバー２も同時に上昇する、レバー２とレバー３とはローラ３Ａを介して連結してありレバー２が上昇するとレバー２の中に入っているローラ３Ａは移動しながらレバー３は支点３Ｂ（支点３Ｂはフレーム１４に支持固定されている）を中心として上昇、回転され反対側は下降する、レバー３の片端には連結ピン３Ｃを介してレバー４（レバー４の支点軸５はフレーム１３、１３’で支持固定されている）が連結されておりレバー３が下降すると同時にレバー４は、下降される、レバー４の支点側に有る連結棒６Ａを介して扇形の歯車６（支持軸６Ｂはフレーム１３、１３’に支持固定されている）が連結されておりレバー４が下降すると歯車６も下降し、６には一方向送り動作式の小歯車７（シャフト８はフレーム１３、１３’で支持固定されていてシャフト８の片端にはフライホイル９が取付けられている）が噛み合っており小歯車７へ回転トルクを伝達せしめる、人Ｏ’が交互に足で足踏み台を踏み続けると連結アーム１Ｂは下死点から中間点、更に上死点まで上昇し、上死点にて、ローラ１Ｃは足踏み台Ｏ−４から外れて落下し次の足踏み台Ｏ−３の裏面に落ちて、噛み込み上昇し同様の動作をくり返して回転機Ｏは回転し大きなトルクを発生、伝達できるところを特徴とする「支点が外に有る回転装置」。
【手続補正書】
【提出日】平成19年1月22日(2007.1.22)
【手続補正１】
【補正対象書類名】実用新案登録請求の範囲
【補正対象項目名】全文
【補正方法】変更
【補正の内容】
【実用新案登録請求の範囲】
【請求項１】
円形の回転機Ｏの下部の適宜な位置に回転機Ｏの支点に相当する回転ローラＡを設置し、ローラＡはフレーム１４、１４’に取付け支持固定されており回転機Ｏの内部には複数の足踏み台Ｏ−１、Ｏ−２、Ｏ−３、Ｏ−４が等分した位置に適宜な数、取付けられており、足踏み台の表面は突部となっていて、人Ｏ’の足で踏む事ができ、裏面は連結アーム１Ｂ．のローラ部１Ｃが噛み込む事ができる形状となっている、人Ｏ’が足踏み台に乗る事により人の体重と回転ローラＡの支持と、連結アーム１Ｂのローラ部１Ｃの噛み込み圧力とで、回転機Ｏを支持固定ができており、回転機Ｏの内側には、倒れ防止用受けローラＢを設置している、連結アーム１Ｂはレバー１と軸１ｄを介して自在に回転し動くように連結されており、人Ｏ’が足でＯ−１の突部を踏む事により、回転機Ｏは下方向に回転し足踏み台Ｏ−３の裏面に噛み込んだ連結アーム１Ｂ−（１）も回転上昇し同時にレバー１も上昇して、レバー１の支点１Ａも回転し支点１Ａと同軸上に接合してあるレバー２も同時に上昇する、レバー２とレバー３とはローラ３Ａを介して連結してありレバー２が上昇するとレバー２の中に入っているローラ３Ａは移動しながら、レバー３は、フレーム１４に支持固定されている支点３Ｂを中心として上昇、回転され反対側は下降する、レバー３の片端には連結ピン３Ｃを介してレバー４が連結されており、その支点軸５はフレーム１３、１３’で支持固定されている、レバー３が下降すると同時にレバー４は、下降される、レバー４の支点側に有る連結棒６Ａを介して扇形の歯車６が連結されており、その支点軸６Ｂは、フレーム１３、１３’に支持固定されている、レバー４が下降すると歯車６も下降し、歯車６には一方向送り動作式の小歯車７が噛み合っておりその中心軸８はフレーム１３、１３’で支持固定されていて中心軸８の片端にはフライホイル９が取付けられている、故にレバー４が下降すれば小歯車７が回転しトルクを伝達せしめる、従って人Ｏ’が交互に足で足踏み台を踏み続けると連結アーム１Ｂは下死点から中間点、更に上死点まで上昇し、上死点にてローラ１Ｃは足踏み台Ｏ−４から外れて落下し次の足踏み台Ｏ−３の裏面に落ちて、噛み込み上昇し同様の動作をくり返して、回転機Ｏは回転し大きなトルクを発生、伝達できるところを特徴とする支点が外に有る回転装置。